(57)【要約】【課題】  被加熱物が焼け焦げ状態になったりするおそれを少なくしながら、極力短い調理時間で被加熱物の加熱調理を行うことが可能となるグリルを提供する。【解決手段】  加熱手段２による加熱が開始された後の温度検出手段Ｋの検出情報と指令された調理メニューに応じて選択された負荷判別用条件とに基づいて被加熱物の熱負荷を判定し、熱負荷と指令された調理メニューに応じて選択された算定条件とに基づいて残加熱時間を設定し、負荷判別処理にて判別される熱負荷の大きさにかかわらず、温度検出手段にて検出される検出温度が、複数の加熱量調整用の設定温度のうち指令された調理メニューに応じて選択された加熱量調整用の設定温度に達すると加熱手段の加熱量を減少させる。【選択図】        図４
2005102847.tif 000002
【特許請求の範囲】
【請求項１】
グリル庫内に備えられた載置部に載置された被加熱物を加熱する加熱手段と、運転状態を制御する制御手段とが備えられたグリルであって、
グリル庫内の温度を検出する温度検出手段と、複数の調理メニューのうち被加熱物に応じた調理メニューを指令する調理メニュー指令手段とが備えられ、
前記制御手段が、
前記加熱手段による加熱が開始された後の前記温度検出手段の検出情報と複数の負荷判別用条件のうち前記指令手段にて指令された調理メニューに応じて選択された負荷判別用条件とに基づいて被加熱物の熱負荷を判定する負荷判別処理、及び、前記熱負荷と複数の算定条件のうち前記調理メニュー指令手段にて指令された調理メニューに応じて選択された算定条件とに基づいて前記負荷判別処理が行われてから被加熱物の加熱が終了するまでの残加熱時間を設定する残加熱時間設定処理を実行するように構成され、且つ、
前記負荷判別処理にて判別される熱負荷の大きさにかかわらず、前記加熱手段による加熱が開始された後の前記温度検出手段にて検出される検出温度が、複数の調理メニューに応じて予め設定されている複数の加熱量調整用の設定温度のうち前記調理メニュー指令手段にて指令された調理メニューに応じて選択された加熱量調整用の設定温度に達すると、前記加熱手段の加熱量を減少調整する加熱量抑制処理を実行するように構成されているグリル。
【請求項２】
前記温度検出手段が、
前記加熱手段による加熱を開始した後の初期において、前記載置部における被加熱物の載置状態の違いに応じて変化する温度上昇勾配、並びに、被加熱物の熱容量の違いに応じて変化する前記加熱手段による加熱を開始してから設定判別温度に上昇するまでの熱容量判別用経過時間を計測可能に設けられ、
前記制御手段が、
前記負荷判別処理として、前記温度検出手段の検出情報と前記調理メニューに応じて選択された負荷判別用条件とに基づいて前記温度上昇勾配並びに前記熱容量判別用経過時間を求めるように構成され、
前記残加熱時間設定処理として、前記負荷判別処理にて求めた前記温度上昇勾配並びに前記熱容量判別用経過時間の情報と前記調理メニューに応じて選択された算定条件とに基づいて前記残加熱時間を設定するように構成されている請求項１記載のグリル。
【請求項３】
前記温度検出手段として、前記温度上昇勾配を検出するための温度勾配判別用の温度センサと、前記熱容量判別用経過時間を検出するための熱容量判別用の温度センサとが夫々各別に設けられている請求項２記載のグリル。
【請求項４】
前記制御手段が、前記負荷判別処理において前記熱容量判別用経過時間と前記温度上昇勾配との比率を求めるように構成され、前記残加熱時間設定処理において前記比率と前記調理メニューに応じて選択された算定条件とに基づいて前記残加熱時間を設定するように構成されている請求項２又は３記載のグリル。
【請求項５】
前記制御手段が、前記残加熱時間設定処理において、
前記熱容量判別用経過時間と前記残加熱時間とを加算した合計調理時間が複数の調理メニュー毎に各別に設定されている設定最長時間を越えないことを条件として、前記熱負荷と選定された前記算定条件とに基づいて残加熱時間を設定するように構成されている請求項１〜４のうちのいずれか１項に記載のグリル。
【請求項６】
前記調理メニュー指令手段が、前記調理メニューとして、被加熱物の形態の違い並びに被加熱物に対する焼き加減を指令するように構成されている請求項１〜５のうちのいずれか１項に記載のグリル。
【請求項７】
グリルが設置される部屋の温度を検出する室内温度検出手段が設けられ、
前記制御手段が、前記室内温度検出手段の検出結果に基づいて前記加熱量調整用の設定温度及び前記判別用設定温度を夫々変更設定するように構成されている請求項２〜６のうちのいずれか１項に記載のグリル。
【請求項８】
前記制御手段が、前記負荷判定処理、前記残加熱時間設定処理、及び、前記加熱量抑制処理の夫々を実行する自動調理運転を行う状態と、前記自動調理運転を行わない状態とに切り換え自在に構成され、
前記自動調理運転の開始を指令する自動運転開始指令手段と、前記自動調理運転の実行中において各部の動作状態を表示する動作状態表示手段と、前記加熱手段の加熱量の変更を指令する加熱量変更指令手段と、前記自動調理運転の取り消しを指令する自動運転取り消し指令手段とが備えられている請求項１〜７のうちのいずれか１項に記載のグリル。
【発明の詳細な説明】
【技術分野】
【０００１】
本発明は、グリル庫内に備えられた載置部に載置された被加熱物を加熱する加熱手段と、運転状態を制御する制御手段とが備えられたグリルに関する。
【背景技術】
【０００２】
上記構成のグリルにおいて、従来では、加熱手段による加熱を開始したのちに、温度検出手段にて検出されるグリル庫内の温度が設定された判定温度に達するまでの経過時間を計測して、その経過時間と所定の計算式とから調理残時間を求めて、その調理残時間が経過すると加熱手段による加熱を終了させる構成とし、前記判定温度及び前記調理残時間を求めるときの計算式の係数が、複数の調理メニュー別に夫々各別に予め設定されており、メニュー設定手段にて設定された調理メニューに応じて各別に異なる値が設定される構成としたものがあった（例えば、特許文献１参照。）。
【０００３】
説明を加えると、加熱手段による加熱を開始してからグリル庫内の温度が前記判定温度に達するまでの経過時間というのは被加熱物の熱負荷に応じて変化するものであり、このような被加熱物の熱負荷に対応する情報として判定温度に達するまでの経過時間を求めるようにして、その判別結果に基づいて残加熱時間を設定するようにしたものである。しかも、前記判定温度及び計算式の係数が、被加熱物の形態や焼き加減等の調理メニューの違いに応じて各別に設定される構成として、複数の調理メニューのうちいずれの調理メニューが指令されても、その指令された調理メニューに対応させた状態で適切に被加熱物の熱負荷を判別してその熱負荷に応じた調理残時間を求めることができるようにしている。
【０００４】
【特許文献１】特開２０００−７０１５０号公報
【発明の開示】
【発明が解決しようとする課題】
【０００５】
上記従来構成は、上述したような負荷判別用の条件としての判別温度や算定条件としての計算式を調理メニューに対応する状態で設定して、そのような負荷判別用の条件並びに算定条件に基づいて調理残時間を求めて、その調理熱時間が終了すると加熱を自動停止させる構成とすることで、被加熱物の熱負荷に対応した調理時間だけ加熱を行うことにより適切な焼き上がり状態となるようにしたものであるが、上記従来構成においては、次のような面で未だ改善の余地があった。
【０００６】
すなわち、上記従来構成のように、加熱手段による加熱を開始したのちにおけるグリル庫内の温度の上昇度合いに基づいて被加熱物の熱負荷を判別する構成とする場合、グリル庫内の温度という代用特性に基づいて負荷を判別するものであるから検出精度が低くなるおそれがある。例えば、被加熱物の熱負荷が同じであっても外形形状の違いやあるいは載置部に対する載置位置のズレ具合などによって同じ加熱量で加熱しても焼け具合が異なる場合がある。
【０００７】
このように温度検出情報に基づく負荷判別では検出誤差が生じるおそれがあるが、上記従来構成においては、このような温度計測情報に基づく熱負荷の判別結果に基づいて調理残時間を設定して、その調理残時間が経過する間は加熱手段による加熱を継続して行うものであるから、被加熱物の熱負荷が実際のものより小さめのものとして判別された場合には、被加熱物の熱負荷に対して調理残時間が長くなり過ぎて被加熱物が焼け焦げてしまうおそれが大になるという不利がある。
【０００８】
そこで、このような焼け焦げが発生する不利を回避させるために加熱手段による加熱量を予め小さめの加熱量に設定しておくことも考えられるが、そうすると、前記判定温度に上昇するまでの時間や調理残時間が長くなって不必要に長く加熱調理を行うことにより調理時間が長くなるおそれがある。
【０００９】
本発明の目的は、被加熱物が焼け焦げ状態になったりするおそれを少なくしながら、極力短い調理時間で被加熱物の加熱調理を行うことが可能となるグリルを提供する点にある。
【課題を解決するための手段】
【００１０】
本発明の第１特徴構成は、グリル庫内に備えられた載置部に載置された被加熱物を加熱する加熱手段と、運転状態を制御する制御手段とが備えられたグリルであって、グリル庫内の温度を検出する温度検出手段と、複数の調理メニューのうち被加熱物に応じた調理メニューを指令する調理メニュー指令手段とが備えられ、前記制御手段が、前記加熱手段による加熱が開始された後の前記温度検出手段の検出情報と複数の負荷判別用条件のうち前記調理メニュー指令手段にて指令された調理メニューに応じて選択された負荷判別用条件とに基づいて被加熱物の熱負荷を判定する負荷判別処理、及び、前記熱負荷と複数の算定条件のうち前記調理メニュー指令手段にて指令された調理メニューに応じて選択された算定条件とに基づいて前記負荷判別処理が行われてから被加熱物の加熱が終了するまでの残加熱時間を設定する残加熱時間設定処理を実行するように構成され、且つ、前記負荷判別処理にて判別される熱負荷の大きさにかかわらず、前記加熱手段による加熱が開始された後の前記温度検出手段にて検出される検出温度が、複数の調理メニューに応じて予め設定されている複数の加熱量調整用の設定温度のうち前記調理メニュー指令手段にて指令された調理メニューに応じて選択された加熱量調整用の設定温度に達すると、前記加熱手段の加熱量を減少調整する加熱量抑制処理を実行するように構成されている点にある。
【００１１】
上記第１特徴構成によれば、制御手段が、加熱手段による加熱が開始された後における温度検出手段にて検出されるグリル庫内の温度の検出情報と複数の負荷判別用条件のうち調理メニュー指令手段にて指令された調理メニューに応じて選択された負荷判別用条件とに基づいて被加熱物の熱負荷を判定する。又、そのようにして判別された熱負荷と、複数の算定条件のうち指令された調理メニューに応じて選択された算定条件とに基づいて負荷判別処理が行われてから被加熱物の加熱が終了するまでの残加熱時間を設定するのである。このようにして誤差が少ない状態で被加熱物の熱負荷の判定及び残加熱時間の設定を行うことができる。
【００１２】
しかも、制御手段は、負荷判別処理にて判別される熱負荷の大きさにかかわらず、加熱手段による加熱が開始された後の温度検出手段にて検出される検出温度が、複数の調理メニューに応じて予め設定されている複数の加熱量調整用の設定温度のうち指令された調理メニューに応じて選択された加熱量調整用の設定温度に達すると、加熱手段の加熱量を減少調整する構成となっている。
【００１３】
その結果、加熱手段による加熱量を調理メニューに対応した加熱量に設定して加熱を行っている場合に、熱負荷の判別結果が実際の熱負荷よりも低めに判別されて残加熱時間が長めに設定されることがあっても、グリル庫内の温度が調理メニューに対応して予め設定されている加熱量調整用の設定温度に達すると、加熱手段の加熱量を減少調整することにより、そのときの調理メニューに対応した設定温度よりも高温になって被加熱物が焼け焦げるという不利を回避することができる。
又、このように焼け焦げを回避できるので、加熱手段の初期加熱量を予め低めの値に抑制しておく必要がなく、調理メニューに適した強めの加熱量で加熱することで、極力、短い時間で被加熱物の調理を行うことが可能となる。
【００１４】
従って、指令された調理メニューに対応させた状態で適切に被加熱物の熱負荷を判別してその熱負荷に応じた調理残時間を求めることができ、しかも、指令された調理メニューに対応させた状態で加熱量の減少調整を行うことで、被加熱物が焼け焦げ状態になったりするおそれを少なくしながら、極力短い調理時間で被加熱物の加熱調理を行うことが可能となるグリルを提供できるに至った。
【００１５】
本発明の第２特徴構成は、上記第１特徴構成に加えて、前記温度検出手段が、前記加熱手段による加熱を開始した後の初期において、前記載置部における被加熱物の載置状態の違いに応じて変化する温度上昇勾配、並びに、被加熱物の熱容量の違いに応じて変化する前記加熱手段による加熱を開始してから設定判別温度に上昇するまでの熱容量判別用経過時間を計測可能に設けられ、前記制御手段が、前記負荷判別処理として、前記温度検出手段の検出情報と前記調理メニューに応じて選択された負荷判別用条件とに基づいて前記温度上昇勾配並びに前記熱容量判別用経過時間を求めるように構成され、前記加熱時間設定処理として、前記負荷判別処理にて求めた前記温度上昇勾配並びに前記熱容量判別用経過時間の情報と前記調理メニューに応じて選択された算定条件とに基づいて前記残加熱時間を設定するように構成されている点にある。
【００１６】
上記第２特徴構成によれば、前記制御手段が、前記温度検出手段の検出情報と前記調理メニューに応じて選択された負荷判別用条件とに基づいて、加熱手段による加熱を開始した後の初期において、載置部における被加熱物の載置状態の違いに応じて変化する温度上昇勾配、並びに、被加熱物の熱容量の違いに応じて変化する加熱手段による加熱を開始してから設定判別温度に上昇するまでの熱容量判別用経過時間を求める負荷判別処理を実行する。そして、その求めた温度上昇勾配並びに熱容量判別用経過時間の情報と前記調理メニューに応じて選択された算定条件とに基づいて、負荷判定処理を実行してから被加熱物に対する加熱を終了するまでの残加熱時間を設定する加熱時間設定処理を実行するのである。つまり、前記残加熱時間として、被加熱物の熱容量並びに載置部に対する載置状態に対応した適切な時間が設定されることになる。
【００１７】
前記温度上昇勾配が前記載置部における被加熱物の載置状態の違いに応じて変化することについて説明を加えると、加熱手段の加熱を開始した初期においては、グリル庫内は温度が上昇していない状態であるが、載置部における排気箇所に近い箇所に被加熱物を載置していたり、排気箇所から遠い箇所に被加熱物を載置する等、載置部に載置される被加熱物の載置状態の違いに応じて加熱された空気の流動状態が異なるので、それに応じて温度上昇勾配が異なるので、その変化を検出するのである。
【００１８】
つまり、前記温度検出手段の検出情報に基づいて、被加熱物の熱容量に対応する情報だけでなく、載置部における被加熱物の載置状態に対応する情報を得ることができ、被加熱物の熱容量の違い、並びに、載置部に対する被加熱物の載置状態の違いに対応して、判定用情報算出処理を実行してから被加熱物に対する加熱を終了するまでの残加熱時間として被加熱物に対する適切な時間を設定することが可能となるのである。
【００１９】
従って、被加熱物の熱容量の違い、並びに、載置部に対する被加熱物の載置状態の違いに対応して、被加熱物に対する適切な加熱時間を設定することが可能となる。
【００２０】
本発明の第３特徴構成は、上記第２特徴構成に加えて、前記温度検出手段として、前記温度上昇勾配を検出するための温度勾配判別用の温度センサと、前記熱容量判別用経過時間を検出するための熱容量判別用の温度センサとが夫々各別に設けられている点にある。
【００２１】
上記第３特徴構成によれば、前記温度検出手段として、前記温度上昇勾配を検出するための温度勾配検出用の温度センサと、前記熱容量判別用経過時間を検出するための熱容量判別用の温度センサとを夫々備えているので、温度勾配検出用の温度センサを温度上昇勾配を検出するのに好適な箇所に配置させることで精度よく温度上昇勾配を検出することが可能となり、熱容量判別用の温度センサについても熱容量判別用経過時間を検出するのに好適な箇所に配置させることで精度よく熱容量判別用経過時間を検出することが可能となる。
【００２２】
本発明の第４特徴構成は、上記第２特徴構成又は第３特徴構成に加えて、  前記制御手段が、前記負荷判別処理において前記熱容量判別用経過時間と前記温度上昇勾配との比率を求めるように構成され、前記残加熱時間設定処理において前記比率と前記調理メニューに応じて選択された算定条件とに基づいて前記残加熱時間を設定するように構成されている点にある。
【００２３】
上記第４特徴構成によれば、制御手段が、被加熱物の熱負荷として、前記熱容量判別用経過時間と前記温度上昇勾配との比率を求めて、その求めた比率に基づいて前記残加熱時間を設定するようにしている。このように比率に基づいて残加熱時間を設定すると、例えば、前記熱容量判別用経過時間と前記温度上昇勾配とから各別に加熱用の時間を求めてそれらの平均値を求めるといった複雑な処理を必要とせず、比率を求めるという簡単な処理によって適切な残加熱時間を求めることができる。
【００２４】
本発明の第５特徴構成は、上記第１特徴構成〜第４特徴構成のいずれかに加えて、前記制御手段が、前記残加熱時間設定処理において、前記熱容量判別用経過時間と前記残加熱時間とを加算した合計調理時間が複数の調理メニュー毎に各別に設定されている設定最長時間を越えないことを条件として、前記熱負荷と選定された前記算定条件とに基づいて残加熱時間を設定するように構成されている点にある。
【００２５】
上記第５特徴構成によれば、負荷判別処理によって判別された被加熱物の熱負荷と指令された調理メニューに応じて選定された前記算定条件と基づいて残加熱時間を設定する場合において、例えば、負荷判別処理によって判別された被加熱物の熱負荷が実際の熱負荷よりも大きいものとして誤判別されて前記算定条件によって被加熱物に適した残加熱時間よりも長い時間が求められた場合であっても、前記熱容量判別用経過時間と前記残加熱時間とを加算した合計調理時間が複数の調理メニュー毎に各別に設定されている設定最長時間を越えないことを条件として残加熱時間が設定されるから不必要に長い残加熱時間が設定されることがない。
【００２６】
つまり、負荷判別処理によって被加熱物の熱負荷が誤判別されることがあっても、必要以上に長い時間にわたって被加熱物が加熱されることがなく、被加熱物が焼け焦げるおそれを回避することができる。
【００２７】
本発明の第６特徴構成は、上記第１特徴構成〜第５特徴構成のいずれかに加えて、前記調理メニュー指令手段が、前記調理メニューとして、被加熱物の形態の違い並びに被加熱物に対する焼き加減を指令するように構成されている点にある。
【００２８】
上記第６特徴構成によれば、調理メニューとして、被加熱物の形態の違い並びに被加熱物に対する焼き加減を指令することができる。被加熱物の形態としては、例えば、魚であれば姿焼きと切り身の違い等に応じて適切なものを指令することができ、焼き加減としては、魚などを強めに焼いたり弱めに焼いたりするという使用者の好みに合わせて被加熱物の焼き加減を指令することができる。つまり、被加熱物に対する調理の仕方に応じて適切なものを指令することができ、グリルとして使い勝ってがよいものになる。
【００２９】
本発明の第７特徴構成は、上記第２特徴構成〜第６特徴構成のいずれかに加えて、グリルが設置される部屋の温度を検出する室内温度検出手段が設けられ、前記制御手段が、前記室内温度検出手段の検出結果に基づいて前記加熱量調整用の設定温度及び前記判別用設定温度を夫々変更設定するように構成されている点にある。
【００３０】
上記第７特徴構成によれば、冬場のようにグリルが設置される部屋の温度が低ければ、加熱手段による加熱を開始した直後はグリル庫内は低い温度であるから、前記判別用設定温度に上昇するまでの時間が長くなり、被加熱物の熱負荷に比べて熱容量判別用経過時間が長くなり過ぎるおそれがあり、逆に、夏場のようにグリルが設置される部屋の温度が高ければ、加熱手段による加熱を開始した直後はグリル庫内は高い温度であるから、前記判別用設定温度に上昇するまでの時間が短くなり、被加熱物の熱負荷に比べて熱容量判別用経過時間が短くなり過ぎるおそれがある。
【００３１】
そこで、室内温度検出手段の検出結果に基づいて前記加熱量調整用の設定温度及び前記判別用設定温度を夫々変更設定するように構成することで、このような室内温度の変化による熱負荷の判別誤差を少なくすることができ、適切な熱負荷の判別を行うことが可能となる。
【００３２】
本発明の第８特徴構成は、上記第１特徴構成〜第７特徴構成のいずれかに加えて、前記制御手段が、前記負荷判定処理、前記残加熱時間設定処理、及び、前記加熱量抑制処理の夫々を実行する自動調理運転を行う状態と、前記自動調理運転を行わない状態とに切り換え自在に構成され、前記自動調理運転の開始を指令する自動運転開始指令手段と、前記自動調理運転の実行中において各部の動作状態を表示する動作状態表示手段と、前記加熱手段の加熱量の変更を指令する加熱量変更指令手段と、前記自動調理運転の取り消しを指令する自動運転取り消し指令手段とが備えられている点にある。
【００３３】
上記第８特徴構成によれば、自動運転指令手段に指令によって、前記負荷判定処理、前記残加熱時間設定処理、及び、前記加熱量抑制処理の夫々を実行する自動調理運転を行う状態と、前記自動調理運転を行わない状態とに切り換えることができ、使用者が自分の好みに応じた調理加熱状態を設定することができる。又、自動調理運転の実行中においては、動作状態表示手段にて各部の動作状態を目視により確認することができ、自動運転取り消し指令手段にて自動調理運転を実行している途中に自動調理運転を停止させて、加熱量変更指令手段によって自分の好みに応じた加熱量に変更させることができる。従って、グリル使用者にとって使い勝手がよいものとなる。
【発明を実施するための最良の形態】
【００３４】
以下、本発明に係るグリルの実施形態をグリル付きガスコンロに適用した場合について図面に基づいて説明する。
【００３５】
図１に示すように、このガスコンロは、３つのコンロバーナ１ａ，１ｂ，１ｃ、および、加熱手段としてのグリルバーナ２を備えたグリル部３からなるビルトインタイプのガスコンロにて構成されている。３つのコンロバーナ１ａ，１ｂ，１ｃは標準バーナ１ａと、小バーナ１ｂと、高火力バーナ１ｃとによって構成されている。そして、グリル部３の燃焼排ガスを排気するためのグリル排気口４が形成され、トッププレート５にてガスコンロ上面が覆われており、このトッププレート５の上部に鍋等を受け止め支持するための五徳６が載置支持されている。また、ガスコンロ前側面には各コンロバーナ１ａ，１ｂ，１ｃ及びグリルバーナ２の点火及び消火や火力調節を指令する手動操作部Ｓが設けられている。又、このガスコンロは、マイクロコンピュータを備えて各種の制御を実行するように構成された運転状態を制御する制御手段としての制御部Ｈが手動操作部Ｓにて指令された運転状態に基づいて、コンロバーナ１ａ，１ｂ，１ｃおよびグリルバーナ２を制御するように構成されている。又、ガスコンロ前側面には押し操作式の電源スイッチ９も設けられている。
【００３６】
図２に示すように、３つのコンロバーナ１ａ，１ｂ，１ｃの夫々には、点火手段としての点火器７及び着火状態を検出する熱電対８が設けられており、グリルバーナ２は上面バーナ２ａと左右一対の下面バーナ２ｂ，２ｃとを備えた両面バーナにて構成されて、上面バーナ２ａ及び左右一対の下面バーナ２ｂ，２ｃの夫々にも点火器７及び熱電対８が夫々備えられている。又、左側に位置する標準バーナ１ａには、五徳６にて載置支持された被加熱物の底面部に接触して被加熱物の温度を検出する温度センサ１０が設けられている。
【００３７】
前記３つのコンロバーナ１ａ，１ｂ，１ｃおよびグリルバーナ２へのガス供給構成について説明すると、元ガス供給路１１には元電磁弁１２が設けられ、元ガス供給路１１から、標準バーナ用分岐路１３ａ、小バーナ用分岐路１３ｂ、高火力バーナ用分岐路１３ｃ、グリルバーナ用分岐路１３ｄの４系統に分岐しており、標準バーナ用分岐路１３ａ、小バーナ用分岐路１３ｂ、高火力バーナ用分岐路１３ｃ、及び、グリルバーナ用分岐路１３ｄの夫々には、ステッピングモータの駆動によって燃料ガスの流量を調整して加熱量を調整するための流量制御弁１８が備えられている。
【００３８】
そして、グリルバーナ２へのグリルバーナ用分岐路１３ｄは、さらに、上面バーナ用の分岐路と下面バーナ用分岐路とに分岐し、それらの分岐路には夫々、オリフィスｏｆ付きの流路１５と開閉式電磁弁１６を備えたバイパス路１７とが設けられている。つまり、前記開閉式電磁弁１６を開状態にすることで上面バーナ２ａ又は左右一対の下面バーナ２ｂ，２ｃが強火力に調整され、前記開閉式電磁弁１６を閉状態にすることで上面バーナ２ａ又は左右一対の下面バーナ２ｂ，２ｃが弱火力に調整されることになる。なお、図示しないが、グリルバーナ用分岐路１３ｄには、元電磁弁１２と流量制御弁１８の間にガスガバナを設けて、ガス量の安定を図っている。
【００３９】
次に、前記手動操作部Ｓの構成について説明する。ガスコンロ前側面１９には、手動操作部Ｓとして、標準バーナ１ａ、小バーナ１ｂ及び高火力バーナ１ｃの夫々に対して各別に点火及び消火や火力調節を指令するための３つの加熱状態調節部２０と、調理の設定を指令する設定入力パネル２１と、グリルバーナ２に対して点火及び消火や火力調整を指令するためのグリル用の設定入力パネル２２とが設けられている。
【００４０】
図３に示すように、グリル用の設定入力パネル２２は、押し操作式のスイッチにて構成されて押し操作する毎にグリルバーナ２に点火を指令するオン状態と消火を指令するオフ状態とに切り換わる点消火スイッチ２３、グリルバーナが燃焼すると点灯し消火すると消灯する燃焼ランプ２４、加熱用のタイマー時間を増減設定するためのタイマー設定スイッチ２５、設定されるタイマー時間を表示するタイマー表示部２６、上面バーナ２ａと下面バーナ２ｂ，２ｃの加熱量を切り替えるための加熱量変更指令手段としての火力切替スイッチ２７、上面バーナ２ａと下面バーナ２ｂ，２ｃ夫々の火力の状態が弱火力であることを示す弱表示部２８ａと強火力であることを示す強表示部２８ｂとからなる火力表示部２８、調理される被加熱物についてのメニューの違いに応じて燃焼状態を切り替えるメニュー切替スイッチ２９、焼き加減を調整する焼き加減調整スイッチ３０、後述するような自動加熱運転を取り消す為のとりけしスイッチ３１等が設けられている。前記メニュー切替スイッチ２９により切り替えられるメニューとしては、被加熱物の形態の違いに対応する「姿焼き」「切身」「干物」があり、そのうち選択されたものをＬＥＤランプにて示すメニュー表示部２９ａが設けられている。焼き加減についても同様に「弱め」「標準」「強め」の３段階に調節できるようになっているが、そのうち選択されたものをＬＥＤランプにて示す焼き加減表示部３０ａが設けられている。そして、調理するときの具体的なメニュー表が図５に示すように別途用意されており、使用者はこのメニュー表を調理内容の目安として設定することになる。前記燃焼ランプ２４、タイマー表示部２６、火力表示部２８、メニュー表示部２９ａ、及び、焼き加減表示部３０ａにより動作状態を表示する動作状態表示手段Ｄを構成する。
【００４１】
従って、メニュー切替スイッチ２９及び焼き加減調整スイッチ３０が、複数の調理メニューのうち被加熱物に応じた調理メニューを指令する調理メニュー指令手段ＭＳを構成することになる。そして、この調理メニュー指令手段ＭＳが、前記調理メニューとして、被加熱物の形態の違い並びに被加熱物に対する焼き加減を指令する構成となっている。
【００４２】
図４に示すように、前記グリル部３は、前面部が開口されかつ後面部が閉塞された箱状に形成されたグリル庫３２内に、被加熱物を載置させる載置部としての焼き網３３を設けて、その被加熱物をグリルバーナ２にて加熱するように構成されている。前記グリル庫の後方側には、グリルバーナ２の燃焼排ガスを機外に排気させる排気路３４が上方側に延びる状態で連設され、その排気路３４にてグリルバーナ２の燃焼排ガスをグリル排気口４に導くように構成されている。ちなみに、グリルバーナ２の二次空気は、グリル庫３２の前面部側箇所及び図示はしないが底面部に形成された通気孔を通して取り入れるようにして、この二次空気の流動により、後述する汁受皿３５を冷却させるように構成されている。
【００４３】
そして、焼き網３３の下方には、魚などの被加熱物からの油などを受け止める汁受皿３５が設けられ、汁受皿３５は、図示はしないが、グリル庫３２の側壁部に設けられたガイドの案内により、焼き網３３を載置した状態で、グリル庫３２に対して、収納移動可能でかつ取り出し移動可能に構成されている。また、汁受皿３５の前面部には、汁受皿３５をグリル庫３２内に収納したときに、グリル庫３２の前面部を閉塞する把手付きの扉３６が設けられている。そして、使用者は、把手にて扉３６を開閉させることにより、汁受皿３５と焼き網３３をグリル庫３２に対して収納移動および取り出し移動させるように構成されている。
【００４４】
そして、このグリルには、グリル庫内の温度を検出する温度検出手段が備えられ、制御部Ｈが、グリルバーナによる加熱が開始された後の温度検出手段の検出情報と複数の負荷判別用条件のうち調理メニュー指令手段ＭＳにて指令された調理メニューに応じて選択された負荷判別用条件とに基づいて被加熱物の熱負荷を判定する負荷判別処理、及び、前記熱負荷と複数の算定条件のうち調理メニュー指令手段ＭＳにて指令された調理メニューに応じて選択された算定条件とに基づいて負荷判別処理が行われてから被加熱物の加熱が終了するまでの残加熱時間を設定する加熱時間設定処理を実行するように構成され、且つ、前記負荷判別処理にて判別される熱負荷の大きさにかかわらず、グリルバーナによる加熱が開始された後の温度検出手段Ｋにて検出される検出温度が、複数の調理メニューに応じて予め設定されている複数の加熱量調整用の設定温度のうち調理メニュー指令手段ＭＳにて指令された調理メニューに応じて選択された加熱量調整用の設定温度に達すると、グリルバーナ２の加熱量を減少調整する加熱量抑制処理を実行するように構成されている。
【００４５】
説明を加えると、前記温度検出手段が、グリルバーナによる加熱を開始した後の初期において、焼き網における被加熱物の載置状態の違いに応じて変化する温度上昇勾配、並びに、被加熱物の熱容量の違いに応じて変化する前記加熱手段による加熱を開始してから設定判別温度に上昇するまでの熱容量判別用経過時間を計測可能に設けられ、制御部Ｈが、前記負荷判別処理の一例として、前記温度検出手段の検出情報と前記調理メニューに応じて選択された負荷判別用条件とに基づいて前記温度上昇勾配並びに前記熱容量判別用経過時間を求める判定用情報算出処理を実行するように構成され、前記残加熱時間設定処理として、前記負荷判別処理としての判定用情報算出処理にて求めた前記温度上昇勾配並びに前記熱容量判別用経過時間の情報と前記調理メニューに応じて選択された算定条件とに基づいて前記残加熱時間を設定するように構成されている。
【００４６】
すなわち、前記温度検出手段Ｋとして、前記熱容量判別用経過時間を検出するための熱容量判別用の温度センサとしての排ガス温度センサ３７と、前記温度上昇勾配を検出するための温度勾配検出用の温度センサとしての庫内温度センサ３８とを夫々備えて構成されている。具体的に説明すると、図４に示すように、前記グリル庫３２内における焼き網３３の高さよりも少し高い位置であって且つ上面バーナ２ａ及び左右一対の下面バーナ２ｂ，２ｃの夫々の燃焼排気ガスが流動して排気路３４を通して排出される箇所に排ガス温度センサ３７が設けられている。この排ガス温度センサ３７の直上方箇所には塵埃の降り掛かりを防止するための防塵板３９が設けられ、その防塵板３９よりも上方側で庫内内方側によった箇所には排ガスの流れの一部を排ガス温度センサ３７に向けて案内する案内板４０が設けられている。この排ガス温度センサ３７が設けられる位置は、上面バーナ２ａ及び左右一対の下面バーナ２ｂ，２ｃの夫々の燃焼排気ガスが流動する箇所であり、加熱を開始してから設定判別温度に上昇するまでの熱容量判別用経過時間の変化が被加熱物の熱負荷の大きさに応じて異なる箇所である。
【００４７】
又、排ガス温度センサ３７よりの下方側箇所には、排ガス温度センサ３７とは別に、グリル庫３２内における焼き網３３よりも少し低い位置であって主に下面バーナ２ｂ，２ｃの夫々の燃焼排気ガスが流動する箇所に庫内温度センサ３８が設けられている。尚、この庫内温度センサ３８の焼き網３３側箇所には被加熱物の下方側を流動する空気の流れを庫内温度センサ３８に案内するための案内板４１が設けられている。この庫内温度センサ３８が設けられる位置は、焼き網３３に載置される被加熱物の載置状態の違いによって温度上昇勾配が異なる箇所である。
【００４８】
前記制御部Ｈが、前記判定用算出処理において前記熱容量判別用経過時間と前記温度上昇勾配との比率を求めるように構成され、前記残加熱時間設定処理において前記比率と前記調理メニューに応じて選択された算定条件とに基づいて前記残加熱時間を設定するように構成されている。又、前記加熱量抑制処理として、前記温度検出手段Ｋとしての排ガス温度センサ３７の検出温度が調理メニュー別に夫々予め設定されている複数の加熱量調整用の設定温度としての第２監視温度Ｘ２（図１１参照）のうち調理メニュー指令手段ＭＳにて指令された調理メニューに対応して設定された設定温度（第２監視温度Ｘ２）に達するとグリルバーナ２の加熱量を減少させるように構成されている。更に、制御部Ｈは、前記残加熱時間設定処理において、前記熱容量判別用経過時間と前記残加熱時間とを加算した合計調理時間が複数の調理メニュー毎に各別に設定されている設定最長時間としての最大燃焼時間（図１１参照）を越えないことを条件として、前記熱負荷と選定された前記算定条件と基づいて残加熱時間を設定するように構成されている。
【００４９】
又、制御部Ｈは、判定用算出処理理において、グリルバーナ２による加熱を開始したときの排ガス温度センサ３７の検出温度が基準温度より低ければ、グリルバーナ２による加熱を開始したときの排ガス温度センサ３７の検出温度と前記基準温度との差が大きいほど短くなるように、前記熱容量判別用経過時間を補正するように構成され、グリルバーナ２による加熱を開始したときの排ガス温度センサ３７の検出温度が基準温度より高ければ、グリルバーナ２による加熱を開始したときの排ガス温度センサ３７の検出温度と基準温度との差が大きいほど長くなるように、前記熱容量判別用経過時間を補正するように構成されている。
【００５０】
更に、制御部Ｈは、前記残加熱時間設定処理として、グリルバーナ２による加熱を開始したときの排ガス温度センサ３７の検出温度が基準温度より低ければ、グリルバーナ２による加熱を開始したときの排ガス温度センサ３７の検出温度と基準温度との差が大きいほど短くなるように、前記残加熱時間を補正するように構成され、グリルバーナ２による加熱を開始したときの排ガス温度センサ３７の検出温度が基準温度より高ければ、グリルバーナ２による加熱を開始したときの排ガス温度センサ３７の検出温度と前記基準温度との差が大きいほど長くなるように、前記残加熱時間を補正するように構成されている。
【００５１】
以下、制御フローチャートに基づいてグリルバーナ２に対する制御部Ｈの動作について説明を加える。
図６に示すように、前記制御部Ｈは、電源スイッチ９がオン操作された後に点消火スイッチ２３がオン操作されるとマニュアル調理運転を実行する（ステップ１、２）。このマニュアル運転について図７のフローチャートに基づいて説明を加えると、先ず、グリルバーナ２に対する点火処理を実行する（ステップ３）。具体的には、点火器７による点火を開始させた後に、元電磁弁１２及び流量制御弁１８を開弁させてグリルバーナ２に着火させ、熱電対８により着火が確認されると点火器７の動作を停止して燃焼ランプ２４を点灯させる。運転開始時には、グリルバーナ２の火力は、上面バーナ２ａと下面バーナ２ｂ，２ｃの加熱量が共に強火力になるように初期設定されることになる。尚、設定時間内に熱電対８により着火が確認されなければ不着火エラーとして元電磁弁１２及び流量制御弁１８を閉弁して報知処理する。
【００５２】
グリルバーナ２が点火した後には、前記各温度センサ３７、３８の検出情報に基づいて、グリル庫３２内の温度が異常になっているか否かを判別する（ステップ４）。具体的に説明すると、前記排ガス温度センサ３７の検出値が１４０℃以上であり温度上昇勾配が急激であること、前記排ガス温度センサ３７の検出値が１８５℃以上であること、庫内温度センサ３８の検出値が１９０℃以上であることのいずれかが検出されると異常高温状態であると判別する。次に、タイマー表示部２６に予め標準的な調理時間として初期設定される調理時間（例えば、９分）及び標準的な火力、つまり、上面バーナ２ａ及び左右一対の下面バーナ２ｂ，２ｃが共に強火力に設定されている状態を表示する（ステップ５）。そして、火力の切替指令があればその指令された内容に従って火力を切り替え、且つ、火力表示部２８における表示状態を切り替える（ステップ６、７、８）。又、タイマー時間の変更指令があればその指令された内容に従ってタイマー時間を変更し、且つ、表示状態を変更する（ステップ９、１０、１１）。
【００５３】
そして、設定されているタイマー時間が経過してタイマーがカウントアップすると、グリルバーナ２の消火処理を実行する（ステップ１２、１３）。つまり、元電磁弁１２及び流量制御弁１８を閉弁して、火力表示部２８及び燃焼ランプ２４を消灯させる。又、制御部Ｈに接続された音声報知用のブザーＢＺを鳴らして報知してタイマー表示部２６に表示されている「００」の表示を１０回点滅させたのちにステップ２にリターンする（ステップ１４、１５）。タイマーがカウントアップするまでに、点消火スイッチ２３がオン操作されて消火が指令されると上述したような消火処理を実行してステップ２にリターンする（ステップ１６、１７）。前記温度異常判別処理にて温度異常が発生していると、消火処理を実行した後に、ブザーＢＺを鳴らして報知して燃焼ランプ２４を１０回点滅させた後に処理を終了する（ステップ１８〜２１）。このときは異常状態であるから、インターロック状態となり、以後の処理は受け付けない。この場合はサービスマン等によるメンテナンス作業が必要となる。
【００５４】
前記電源スイッチ９がオン操作されたのちに点火指令が指令されずにメニュー切替スイッチ２９又は焼き加減調整スイッチ３０の少なくともいずれかが操作され、排ガス温度センサ３７の検出値が制御動作可能な範囲内（―５℃〜１００℃の範囲内）にあれば、そのときの排ガス温度センサ３７の検出値ＴＨ１をグリルバーナ２が加熱を開始したときの検出温度すなわち点火初期温度ｔｂｏとして検出して記憶し（ステップ２２，２３，２４）、点火が指令されると自動調理運転を実行することになる（ステップ２５）。従って、メニュー切替スイッチ２９、焼き加減調整スイッチ３０及び点消火スイッチ２３により自動調理運転の開始を指令する自動運転開始指令手段Ｅが構成される。
【００５５】
電源スイッチ９がオン操作されてから３分間が経過してもいずれのスイッチも操作されず入力操作がないときには電源を自動でオフして制御を終了する（ステップ２７、２８、２９）。又、検出温度が制御動作可能な範囲内になければ、ブザーＢＺを鳴らして警告音を発生させてステップ２に戻る（ステップ２６）。
【００５６】
次に、図８のフローチャートに基づいて自動調理運転について説明する。
この自動調理運転においては、先ず、マニュアル調理運転のときと同様にグリルバーナ２に対する点火処理を実行し（ステップ３０）、図１２（イ）に示すようにタイマー表示部２６にて自動調理運転状態であることを示す「ＡＵ」を表示する（ステップ３１）。そして、前記メニュー切替スイッチ２９、焼き加減調整スイッチ３０、タイマー設定スイッチ２５等による切り替え操作のための入力の受け付けを抑制する入力抑制状態に切り替える（ステップ３２）。従って、この自動調理運転が行われている間は、これらの操作により入力は行えない状態となる。但し、とりけしスイッチ３１の操作による自動調理運転の取り消し指令は入力可能である。
【００５７】
そして、マニュアル調理運転のステップ４と同様な温度異常判別処理（ステップ３３）を実行した後に判定用情報算出処理を実行する（ステップ３４）。この判定用情報算出処理について、図９のフローチャートに基づいて説明する。すなわち、グリルバーナ２に対する点火が行われて加熱が開始されてから１００秒経過すると、そのときの庫内温度センサ３８の検出値を第１検出値ＴＢ１として検出し（ステップ１００、１０１）、グリルバーナ２に対する点火が行われて加熱が開始されてから１６０秒経過すると、そのときの庫内温度センサ３８の検出値を第２検出値ＴＢ２として検出する（ステップ１０２、１０３）。そして、排ガス温度センサ３７の検出値が設定判別温度としての第１監視温度Ｘ１（例えば、１４０℃）に達すると、加熱を開始してからその第１監視温度Ｘ１に到達するまでに要した経過時間を熱容量判別用経過時間Ｔｏとして算出する（ステップ１０４、１０５）。
【００５８】
但し、このとき、前記グリルバーナ２による加熱を開始したときの排ガス温度センサ３７の検出温度、つまり、ステップ２４にて検出された点火初期温度ｔｂｏが基準温度ｔｂｓ（例えば、２５℃）より低ければ、点火初期温度ｔｂｏと基準温度ｔｂｓとの差が大きいほど短くなるように、熱容量判別用経過時間Ｔｏを補正し、点火初期温度ｔｂｏが基準温度ｔｂｓより高ければ、点火初期温度ｔｂｏと基準温度ｔｂｓとの差が大きいほど長くなるように、熱容量判別用経過時間Ｔｏを補正するように構成されている。
【００５９】
説明を加えると、図１３（イ）に、点火初期温度ｔｂｏが基準温度ｔｂｓより低い場合の例として、点火初期温度ｔｂｏが１０℃の場合の排ガス温度センサ３７の検出温度の時間経過に伴う変化を示している。この場合には、グリルバーナ２の加熱を開始した時点から排ガス温度センサ３７の検出温度が第１監視温度Ｘ１（図１３に示す例では１４０℃）に上昇するまでの経過時間をＹ１とし、グリルバーナ２の加熱を開始した時点から排ガス温度センサ３７の検出温度が基準温度ｔｂｓまで上昇するまでの経過時間をＹＡとすると、熱容量判別用経過時間Ｔｏは、下記数１により求めるようにしている。つまり、点火初期温度ｔｂｏと基準温度ｔｂｓとの差が大きいほど短くなるように熱容量判別用経過時間Ｔｏが補正されることになる。
【００６０】
［数１］
Ｔｏ＝Ｙ１−ＹＡ
【００６１】
又、図１３（ロ）に、点火初期温度ｔｂｏが基準温度ｔｂｓより高い場合の例として、点火初期温度ｔｂｏが４０℃の場合の排ガス温度センサ３７の検出温度の時間経過に伴う変化を示している。この場合には、下記数２に示すように、グリルバーナ２の加熱を開始した時点から排ガス温度センサ３７の検出温度が第１監視温度Ｘ１（１４０℃）に上昇するまでの経過時間Ｙ１に対して点火初期温度ｔｂｏと基準温度ｔｂｓとの差Δｔｂから求めた補正値ｄＴを加算して熱容量判別用経過時間Ｔｏを求める構成としている。前記補正値ｄＴは数３により求めることになる。つまり、点火初期温度ｔｂｏと基準温度ｔｂｓとの差が大きいほど長くなるように熱容量判別用経過時間Ｔｏが補正されることになる。
【００６２】
［数２］
Ｔｏ＝Ｙ１+ｄＴ
【００６３】
［数３］
ｄＴ＝Ｄ・Δｔｂ2+Ｅ・Δｔｂ
但し、Ｄ，Ｅは実験により求めた定数であり、Ｄ＝０．０３、Ｅ＝０．６９
【００６４】
グリルバーナ２の加熱を開始した時点から最大計測時間Ｔｏｍａｘが経過しても排ガス温度センサ３７の検出温度が第１監視温度Ｘ１に到達しない場合には、最大計測時間Ｔｏｍａｘを熱容量判別用経過時間Ｔｏとして設定するようになっている。つまり、何らかの不具合で温度が計測できない場合であっても調理時間が不必要に長くなることを回避するようにしている。
【００６５】
上述したような第１検出値ＴＢ１、第２検出値ＴＢ２、及び、熱容量判別用経過時間Ｔｏの夫々が全て検出されて判定用算定処理が可能か否かが判断され、全てのデータが検出されて判定用算定処理が可能であれば、前記各データを用いて判定用情報を算出する（ステップ１０６、１０７）。具体的に説明すると、先ず、下記数４に示す演算式にて加熱が開始されてから１００秒経過した時点から１６０秒経過するまでの間の庫内温度センサ３８による検出温度の温度上昇勾配αを求める。そして、前記熱容量判別用経過時間Ｔｏと前記温度上昇勾配αとの比率を前記判定用情報として算出するのである。前記温度上昇勾配αを求める場合に、演算結果が予め設定した下限値（例えば零）を下回るような結果が出た場合には、温度上昇勾配αを下限値に設定するようにしている。このようにして、何らかの不具合で温度が計測できない場合であっても調理時間が不必要に長くなることを回避するようにしている。
【００６６】
［数４］
α＝（ＴＢ２−ＴＢ１）／（１６０−１００）
【００６７】
前記各データＴＢ１，ＴＢ２、Ｔｏが検出されていない状態で、とりけしスイッチ５１が操作されて取り消しが指令されると、入力抑制状態が解除されてマニュアル調理運転に移行する（ステップ１０８、１０９）。取り消し指令がなく点消火スイッチ３２の操作により消火が指令されると消火処理を実行してステップ２に戻る（ステップ１１０、１１１）。前記温度異常判別処理にて温度異常が発生していると、消火処理を実行した後に、ブザーＢＺを鳴らして報知して燃焼ランプ２４を１０回点滅させた後に処理を終了する（ステップ１１２〜１１５）。このときは上述したように異常状態であるからインターロック状態となり、以後の処理は受け付けない。
【００６８】
次に、前記判定用情報として算出された熱容量判別用経過時間Ｔｏと温度上昇勾配αとの比率（Ｔｏ／α）に基づいて、前記判定用算出処理を実行してから被加熱物に対する加熱を終了するまでの残加熱時間を設定する残加熱時間設定処理を実行する（ステップ３５）。この残加熱時間設定処理について説明すると、残加熱時間ＴＭは、下記数５に記載される演算式に基づいて求める構成となっている。但し、前記比率（Ｔｏ／α）が予め調理メニュー毎に定められた値Ｃよりも大きい場合には、数５における（Ｔｏ／α）はＣに置き換えて計算する。又、係数Ａ，Ｂについても前記値Ｃと同様に、本出願人による実験データに基づいて予め調理メニュー毎に定めた所定の値である（図１１参照）。これらの係数や演算式が調理メニューに応じて選択された算定条件に対応する。
【００６９】
［数５］
ＴＭ＝Ａ+（Ｔｏ／α）+Ｂ
【００７０】
上記したような演算式により残加熱時間ＴＭが計算されるが、ステップ２４にて検出された点火初期温度ｔｂｏが基準温度ｔｂｓより高い場合には、このようにして計算して求めた値に対して更に長くするように補正を加えるようにしている。つまり、上記したような演算式により求めた値に対して、上記数３で求めた補正値ｄＴに係数（１．３）を掛けた値（ｄＴ×１．３）を加算して最終的な残加熱時間ＴＭとして求める構成となっている。従って、点火初期温度ｔｂｏと基準温度ｔｂｓとの差が大きいほど長くなるように残加熱時間が補正されることになる。
【００７１】
図１０には、調理メニューとして「姿焼き」で「標準」の焼き加減を設定した場合の前記比率（Ｔｏ／α）と残加熱時間ＴＭとの関係をグラフで示している。この図から明らかなように、熱容量判別用経過時間Ｔｏと温度上昇勾配αとの比率（Ｔｏ／α）が大きいほど長くする状態で、且つ、設定上限値ＴＭｍａｘ（図１０に示す例では３００秒）を越えない状態で、前記残加熱時間ＴＭを設定する構成となっている。
【００７２】
上述したように、グリルバーナ２の加熱を開始した時点から判定用算出処理が行われるまでの間の熱容量判別用経過時間Ｔｏとしては最大計測時間Ｔｏｍａｘを越えることはないが、この熱容量判別用経過時間Ｔｏとして最大計測時間Ｔｏｍａｘが設定されたときに、求められた残加熱時間ＴＭと前記最大計測時間Ｔｏｍａｘとを合せた合計の調理時間が、調理メニュー毎に予め設定されている最大燃焼時間（図１１参照）を越える場合には、合計時間がこの最大燃焼時間が越えない状態で残加熱時間ＴＭが設定されることになる。
【００７３】
図１４〜図１６に本出願人の実験に基づく実測データを示している。このうち図１４は被加熱物として、さんまを１匹だけ焼き網３３の上に載置させた状態でグリルバーナ２を加熱させてから後の排ガス温度センサ３７と庫内温度センサ３８の検出値の時間経過に伴う変化を示すグラフである。図中の太線が排ガス温度センサ３７に対応するデータであり、細線が庫内温度センサ３８に対応するデータである。又、図１５は、被加熱物として、さばの切身を１切だけ焼き網３３の上に載置させた状態でグリルバーナ２を加熱したときの各センサ３７、３８の検出値の時間経過に伴う変化を示すグラフであり、図１６は、被加熱物として４匹のさんまを焼き網３３の上に載置させた状態でグリルバーナ２を加熱したときの各センサ３７、３８の検出値の時間経過に伴う変化を示すグラフである。ちなみに外部温度はいずれも約２５℃である。
【００７４】
これらのデータから明らかなように、さんまを１匹だけ加熱する場合と、さばの切身を１切だけ加熱する場合には温度上昇勾配αは共に０．２となっているが、４匹のさんまを加熱する場合には温度上昇勾配αは０．１５となっており、焼き網３３上での被加熱物の載置状態の違いによって温度上昇勾配αが異なる値となっている。又、さんまとさばの切身とは調理メニューが異なるが、さばの切身を１切加熱するときと、さんまを１匹だけ加熱するときとでは、温度上昇勾配αは同じであるが熱容量が異なっている。
【００７５】
図１７には、ぶりの照り焼き以外を対象として、複数の被加熱物についての実測値に基づいて求めた熱容量判別用経過時間Ｔｏ、温度上昇勾配α、それの比率（Ｔｏ／α）のデータを示しており、図１８には、それらのデータと被加熱物の重量との関係をグラフとして表している。尚、図中の式は最小自乗法により求めた直線近似式とその決定係数Ｒ2を示している。又、図１９には、ぶりの照り焼きを対象として、複数の被加熱物についての実測値に基づいて求めた熱容量判別用経過時間Ｔｏ、温度上昇勾配α、それの比率（Ｔｏ／α）のデータを示しており、図２０には、それらのデータと被加熱物の重量との関係をグラフとして表している。尚、図中の式は最小自乗法により求めた直線近似式とその決定係数Ｒ2を示している。
【００７６】
上述したような残加熱時間ＴＭが設定されるとタイマー表示部２６に残加熱時間ＴＭを表示して、タイマーにて計時しながら時間経過に伴ってタイマー表示部２６に表示される残加熱時間ＴＭをカウントダウンさせる（ステップ３６）。図１２（ロ）にタイマー表示部２６に表示される残加熱時間が５分になったことを示している。
【００７７】
その後、排ガス温度センサ３７の検出値ＴＨ１が加熱量調整用の設定温度としての第２監視温度Ｘ２以上になったことが検出されると、グリルバーナ２の火力を減少調整する加熱量調整処理としての火力切替処理を行う（ステップ３７、３８）。つまり、初期設定状態においては、共に強火力になるように調整されている上面バーナ２ａと下面バーナ２ｂ，２ｃの加熱量を共に弱火力にするように、上面バーナ用の分岐路と下面バーナ用分岐路とに分岐した分岐路の夫々に備えられる開閉式電磁弁１６を共に閉状態に切り換えるのである。このようにして、グリル庫３２内の温度が高くなり過ぎて被加熱物が焼け焦げたりするのを防止している。前記第２監視温度Ｘ２は、図１１に示すように調理メニュー毎に予め設定されるものである。
【００７８】
残加熱時間ＴＭとして設定されているタイマー時間が経過してタイマーがカウントアップすると、グリルバーナ２の消火処理を実行する（ステップ３９，４０）。つまり、元電磁弁１２及び流量制御弁１８を閉弁して、火力表示部２８及び燃焼ランプ２４を消灯させる。又、ブザーＢＺを鳴らして報知してタイマー表示部２６に表示されている「００」の表示を１０回点滅させたのちにステップ２にリターンする（ステップ４１，４２）。
【００７９】
タイマーがカウントアップするまでの間に、とりけしスイッチ３１の操作により自動調理運転の取り消しが指令されると、入力抑制状態を解除してマニュアル調理運転に移行する（ステップ４３，４４）。マニュアル調理運転に移行した後は、火力切替スイッチ２７の操作による火力の切り換え指令やタイマー設定スイッチ２５の操作による加熱用のタイマー時間の増減調整等が可能となる。
【００８０】
タイマーがカウントアップせずにとりけしスイッチの操作も無い状態で点消火スイッチ２３がオン操作されて消火が指令されると、上述したような消火処理を実行してステップ２にリターンする（ステップ４５，４６）。前記温度異常判別処理にて温度異常が発生していると、消火処理を実行した後に、ブザーＢＺを鳴らして報知して燃焼ランプ２４を１０回点滅させた後に処理を終了する（ステップ４７〜５０）。
【００８１】
上述したような図表等で例示している数値は、本出願人による実験データを基に算定した値であって例示に過ぎず、本発明はこれらの数値により限定されるものではない。
【００８２】
〔別実施形態〕
以下、別実施形態を列記する。
【００８３】
（１）上記実施形態では、前記制御手段が、前記負荷判別処理として、前記温度検出手段の検出情報と前記調理メニューに応じて選択された負荷判別用条件とに基づいて前記温度上昇勾配並びに前記熱容量判別用経過時間を求め、それらの熱容量判別用経過時間と温度上昇勾配との比率を求めて、その求めた比率に基づいて残加熱時間を設定するように構成したが、このような構成に限らず次のように構成するものでもよい。
【００８４】
前記熱容量判別用経過時間及び温度上昇勾配の夫々に基づいて各別に加熱用の時間を設定するようにして、それらの各時間を合計したりあるいは平均を求めるなど、各種の形態で残加熱時間を設定するようにしてもよい。
【００８５】
又、前記熱容量判別用経過時間及び前記温度上昇勾配のうちのいずれか１つの情報のみを用いて被加熱物の熱負荷を判別する構成としてもよい。
【００８６】
（２）上記実施形態では、複数の調理メニューに応じて予め前記加熱量調整用の設定温度及び前記判別用設定温度が設定された値を用いるようにした構成を例示したが、このような構成に代えて、次のように構成するものでもよい。
【００８７】
つまり、グリルが設置される部屋の温度を検出する室内温度検出手段としての室内温度センサが設けられ、前記制御部が、前記室内温度センサの検出結果に基づいて前記加熱量調整用の設定温度及び前記判別用設定温度を夫々変更設定するように構成するものでもよい。例えば、前記加熱量調整用の設定温度及び前記判別用設定温度を、室内温度が高いほど複数の調理メニューに応じて設定された値よりも高い値になるように変更設定する構成である。このように構成すると、室内温度の違いによる熱負荷の判別誤差を少ないものにすることができる。
【００８８】
（３）上記実施形態では、前記残加熱時間が経過すると加熱手段による加熱を自動停止させる構成としたが、このような構成に限らず、前記残加熱時間が経過すると加熱を自動停止させる構成に代えて、報知作動を行い使用者の操作にて加熱を停止させるように構成するものでもよい。
【００８９】
（４）上記実施形態では、前記加熱手段としてのグリルバーナにおける上面バーナ及び下面バーナが夫々強弱２段階に火力調整できる構成として、初期運転状態では上下共に強火力になるように調整され、加熱量調整処理において上下共に弱火力になるように調整する構成としたが、このような構成に限らず、加熱量を調理メニューに応じて複数の段階に設定可能な構成として初期運転状態では調理メニューに応じた初期調整値に設定するようにして、加熱量調整処理においてはその初期調整値よりも小さい加熱量に減少調整するように構成してもよい。例えば、調理メニューが（切身・弱め）である場合、初期運転状態で上バーナを強火力、下バーナを弱火力とするように調整したり、初期運転状態で上下共に弱火力になるように調整したりする構成としてもよい。
【００９０】
（５）上記実施形態では、とりけしスイッチが設けられて、グリルバーナの燃焼を継続させた状態で自動調理運転を取り消すことができる構成としたが、このようなとりけしスイッチを設けることなく、点消火スイッチの指令のみに基づいて自動調理運転を終了させるような構成としてもよい。
【００９１】
（６）上記実施形態では、前記温度検出手段として、前記温度上昇勾配を検出するための温度勾配検出用の温度センサとしての庫内温度センサと、前記熱容量判別用経過時間を検出するための熱容量判別用の温度センサとしての排ガス温度センサとを夫々備える構成としたが、このような構成に限らず、加熱手段による加熱を開始した後の初期において、前記載置部における被加熱物の載置状態の違いに応じて変化する温度上昇勾配、並びに、被加熱物の熱容量の違いに応じて変化する加熱手段による加熱を開始してから設定判別温度に上昇するまでの熱容量判別用経過時間の夫々計測することが可能なものであれば、１つのセンサの検出情報に基づいて制御を行うようにしてもよい。
【００９２】
（７）上記実施形態では、自動運転開始指令手段Ｅとして、メニュー切替スイッチ、焼き加減調整スイッチ及び点消火スイッチを夫々兼用する構成としたが、このような構成に代えて自動運転を開始指令する専用の操作スイッチを設けるものでもよい。
【００９３】
（８）上記実施形態では、判定用情報算出処理における各温度センサによる温度検出方法について詳しく述べていないが、例えば、庫内温度センサ３８の検出値において、第１検出値ＴＢ１，第２検出値ＴＢ２の検出を、各々点火後１００秒、１６０秒後の値ではなく、前後数秒間の値の平均値として検出するようにしてもよい。又、同様に、排ガス温度センサ３７の検出値において、前記数秒間の値の平均値が設定判別温度Ｘ１に達した時間を熱容量判別用経過時間Ｔｏとして検出するようにしてもよい。こうすることで、検出誤差を抑制して、より精緻に制御を行うことが可能となる。
【００９４】
（９）上記実施形態では、グリル燃焼ランプ２４をグリル用の設定入力パネル２２に設ける構成としたが、このような構成に代えて、ガスコンロ前側面１９のグリル扉３６に近い場所に設けるようにしてもよい。こうすることで、グリル燃焼状態が離れた場所からでも確認しやすくなる。
【００９５】
（１０）上記実施形態では、ビルトイン形式のガスコンロに備えられたガス燃焼式のグリルを例示したが、このような構成に限らず、テーブル式コンロに備えられたグリルであってもよく、又、コンロに組みこまれたグリルに限らず、グリル単体として構成されるものであってもよい。又、ガス燃焼式に限らず、加熱手段としては、電気ヒータや電磁式加熱手段を用いるものでもよい。
【図面の簡単な説明】
【００９６】
【図１】ガスコンロの斜視図
【図２】ブロック図
【図３】グリル用の設定入力パネルの正面図
【図４】グリル部の縦断側面図
【図５】メニュー表を示す図
【図６】制御動作のフローチャート
【図７】制御動作のフローチャート
【図８】制御動作のフローチャート
【図９】制御動作のフローチャート
【図１０】比率と残加熱時間との関係を示すグラフ
【図１１】各調理条件毎の係数、温度条件を示す図
【図１２】設定入力パネルの表示状態を示す図
【図１３】熱容量判別用経過時間の補正についての説明図
【図１４】計測データを示すグラフ
【図１５】計測データを示すグラフ
【図１６】計測データを示すグラフ
【図１７】計測データを示す図
【図１８】計測データを示すグラフ
【図１９】計測データを示す図
【図２０】計測データを示すグラフ
【符号の説明】
【００９７】
２            加熱手段
３２          グリル庫
３３          載置部
３７          熱容量判別用の温度センサ
３８          温度勾配検出用の温度センサ
Ｄ            動作状態表示手段
Ｅ            自動運転開始指令手段
Ｈ            制御手段
Ｋ            温度検出手段
ＭＳ          調理メニュー指令手段
α            温度上昇勾配
Ｔｏ          熱容量判別用経過時間
Ｘ１          設定判別温度
Ｘ２          加熱量調整用の設定温度
【図１】
2005102847.tif 000003
【図２】
2005102847.tif 000004
【図３】
2005102847.tif 000005
【図４】
2005102847.tif 000006
【図５】
2005102847.tif 000007
【図６】
2005102847.tif 000008
【図７】
2005102847.tif 000009
【図８】
2005102847.tif 000010
【図９】
2005102847.tif 000011
【図１０】
2005102847.tif 000012
【図１１】
2005102847.tif 000013
【図１２】
2005102847.tif 000014
【図１３】
2005102847.tif 000015
【図１４】
2005102847.tif 000016
【図１５】
2005102847.tif 000017
【図１６】
2005102847.tif 000018
【図１７】
2005102847.tif 000019
【図１８】
2005102847.tif 000020
【図１９】
2005102847.tif 000021
【図２０】
2005102847.tif 000022